(57)【要約】【課題】  本発明は、装置本体に対して蓋体をロックする蓋体係止機構と、蓋体のロックを解除するイジェクト機構とを備える必要がない蓋体の開閉機構を有する収納装置を提供することを課題とする。【解決手段】  蓋体３と装置本体２とを連結するガイドアングル７と、ガイドアングル７を装置本体２に回動可能に取り付ける本体回動支点２１と、閉蓋状態において本体回動支点２１よりも前側且つ上側に配置され、ガイドアングル７を蓋体３に回動可能に取り付ける蓋体回動支点３２と、装置本体２の本体回動支点２１よりも後側に、前側よりも後側の方が上方に位置するように斜めに形成されているガイド穴２２と、蓋体３に設けられ、ガイド穴２２にスライド可能に嵌装されている嵌装突部３３とを具備し、蓋体３を後方向にスライドさせることにより、ガイドアングル７およびガイド穴２２にガイドされて蓋体３が開くように構成されている。【選択図】        図３
2006127688.tif 000002
【特許請求の範囲】
【請求項１】
装置本体の上部開口を開閉可能に取り付けられた蓋体を備え、前記蓋体を開いて被収納物を内部に収納する収納装置であって、
前記蓋体と前記装置本体とを連結するガイドアングルと、
該ガイドアングルを前記装置本体に回動可能に取り付ける本体回動支点と、
閉蓋状態において前記本体回動支点よりも前側且つ上側に配置され、前記ガイドアングルを前記蓋体に回動可能に取り付ける蓋体回動支点と、
前記装置本体の前記本体回動支点よりも後側に、前側よりも後側の方が上方に位置するように斜めに形成されているガイド穴と、
前記蓋体に設けられ、前記ガイド穴にスライド可能に嵌装されている嵌装突部とを具備し、
前記蓋体を後方向にスライドさせることにより、前記ガイドアングルおよび前記ガイド穴にガイドされて前記蓋体が開くように構成されていることを特徴とする収納装置。
【請求項２】
閉蓋状態において、前記嵌装突部は、前記ガイド穴の前側に位置するように構成され、
閉蓋状態では、前記嵌装突部を軸にして前記蓋体を開く方向に回動させようとしても、前記蓋体の後側端部が前記装置本体に当接して、閉蓋状態に保持されることを特徴とする請求項１記載の収納装置。
【請求項３】
前記装置本体に対して前記蓋体をロックする蓋体係止機構と、
該蓋体係止機構による前記蓋体のロックを解除するイジェクト機構と、
前記蓋体の表面に前後方向にスライド可能に設けられ、前記イジェクト機構を操作するイジェクトボタンとを具備し、
前記イジェクトボタンを後ろ方向にスライドさせることにより、前記蓋体係止機構による前記蓋体のロックが解除されることを特徴とする請求項１又は２記載の収納装置。
【発明の詳細な説明】
【技術分野】
【０００１】
本発明は、ＣＤ（compact disc）やＭＤ（Mini Disc）等の記録媒体を被収納物として収納部に収納するプレーヤ等の装置に適用される収納装置に関し、特に本体内の収納部を開閉する蓋体を備えた収納装置に関する。
【背景技術】
【０００２】
図８は、従来の収納装置の開蓋状態における構成を示す外観図であり、図９は、従来の収納装置における閉蓋状態の構成を示す図であり、（ａ）は、平面図であり、（ｂ）は、側面図である。図１０は、従来の収納装置における蓋体の開閉動作を説明するための側面図であり、（ａ）は、閉蓋状態を示す側面図であり、（ｂ）は、開蓋状態を示す側面図である。
【０００３】
ＣＤ（compact disc）やＭＤ（Mini Disc）等の記録媒体を被収納物１として収納部に収納するプレーヤ等の装置に適用される従来の収納装置は、図８および図９に示すように、記録再生メカニズム４が内蔵され、上部が解放された薄い略直方体状の箱型である装置本体２と、装置本体２の後端側に配置された回動支点５の周りに回動可能に、装置本体２の上部開口を開閉可能に取り付けられた蓋体３とで構成されている。
【０００４】
図１０（ａ）に示す閉蓋状態では、蓋体３は、図示しない蓋体解放バネにより、常に矢印Ａ方向、すなわち蓋体３が開く方向に付勢されているが、図示しない蓋体係止機構により、装置本体２に対して蓋体３がロックされ、蓋体３が閉じた状態に保たれている。そして、図示しないイジェクト機構を操作することにより、蓋体３のロックが解除されると、蓋体３は、回動支点５を中心にして矢印Ａ方向に回動可能な状態となって、図示しない蓋体解放バネによる付勢によって、蓋体３が回動支点５を中心にして矢印Ａ方向に回動し、図１０（ｂ）に示す開蓋状態に移行する。開蓋状態では、装置本体２と蓋体３との間に開口部が生じ、当該開口部から被収納物１を矢印Ｂ方向に挿入することができる（例えば、特許文献１参照）。
【０００５】
しかしながら、従来技術では、蓋体３が装置本体２の後端側に配置された回動支点５の周りに回動可能に取り付けられているため、装置本体２に対して蓋体３をロックする蓋体係止機構と、蓋体３のロックを解除するイジェクト機構とを必ず備えなければならず、コスト高になると共に、装置の小型化が阻害されるという問題点があった。
【特許文献１】特開２０００−６８６６０号公報
【発明の開示】
【発明が解決しようとする課題】
【０００６】
本発明は斯かる問題点に鑑みてなされたものであり、その目的とするところは、装置本体に対して蓋体をロックする蓋体係止機構と、蓋体のロックを解除するイジェクト機構とを備える必要がない蓋体の開閉機構を有し、コストを抑え、装置を小型化することができる収納装置を提供する点にある。
【課題を解決するための手段】
【０００７】
本発明は上記課題を解決すべく、以下に掲げる構成とした。
本発明の収納装置は、装置本体の上部開口を開閉可能に取り付けられた蓋体を備え、前記蓋体を開いて被収納物を内部に収納する収納装置であって、前記蓋体と前記装置本体とを連結するガイドアングルと、該ガイドアングルを前記装置本体に回動可能に取り付ける本体回動支点と、閉蓋状態において前記本体回動支点よりも前側且つ上側に配置され、前記ガイドアングルを前記蓋体に回動可能に取り付ける蓋体回動支点と、前記装置本体の前記本体回動支点よりも後側に、前側よりも後側の方が上方に位置するように斜めに形成されているガイド穴と、前記蓋体に設けられ、前記ガイド穴にスライド可能に嵌装されている嵌装突部とを具備し、前記蓋体を後方向にスライドさせることにより、前記ガイドアングルおよび前記ガイド穴にガイドされて前記蓋体が開くように構成されていることを特徴とする。
【０００８】
さらに、本発明の収納装置は、閉蓋状態において、前記嵌装突部は、前記ガイド穴の前側に位置するように構成され、閉蓋状態では、前記嵌装突部を軸にして前記蓋体を開く方向に回動させようとしても、前記蓋体の後側端部が前記装置本体に当接して、閉蓋状態に保持されることを特徴とする。
【０００９】
さらに、本発明の収納装置は、前記装置本体に対して前記蓋体をロックする蓋体係止機構と、該蓋体係止機構による前記蓋体のロックを解除するイジェクト機構と、前記蓋体の表面に前後方向にスライド可能に設けられ、前記イジェクト機構を操作するイジェクトボタンとを具備し、前記イジェクトボタンを後ろ方向にスライドさせることにより、前記蓋体係止機構による前記蓋体のロックが解除されることを特徴とする。
【発明の効果】
【００１０】
本発明の収納装置は、蓋体を後方向にスライドさせることにより、ガイドアングルおよびガイド穴にガイドされて蓋体が開くように構成することにより、装置本体に対して蓋体をロックする蓋体係止機構と、蓋体のロックを解除するイジェクト機構とを備える必要がない蓋体の開閉機構を実現することができ、コストを抑え、装置を小型化することができるという効果を奏する。
【００１１】
さらに、本発明の収納装置は、蓋体の表面に前後方向にスライド可能に設けられたイジェクトボタンを後ろ方向にスライドさせることにより、蓋体係止機構による蓋体のロックが解除されるように構成することにより、蓋体係止機構とイジェクト機構とを備えた場合でも、イジェクト機構を操作して蓋体係止機構による蓋体のロックを解除する係止解除動作と、蓋体を開く開蓋動作とを一連の動作で行うことができ、片手で蓋体を開くことができ、被収納物の収納に係る動作が簡略化されて操作性が向上するという効果を奏する。
【発明を実施するための最良の形態】
【００１２】
以下、本発明の実施の形態を図面に基づいて詳細に説明する。
【００１３】
（第１の実施の形態）
図１は、本発明に係る収納装置の第１の実施の形態における開蓋状態の構成を示す外観図であり、図２は、本発明に係る収納装置の第１の実施の形態における閉蓋状態の構成を示す図であり、（ａ）は、平面図であり、（ｂ）は、側面図である。図３は、本発明に係る収納装置の第１の実施の形態における蓋体の開閉動作を説明するための側面図であり、（ａ）は、閉蓋状態を示す側面図であり、（ｂ）は、開蓋状態を示す側面図である。
【００１４】
第１の実施の形態は、ＣＤ（compact disc）やＭＤ（Mini Disc）等の記録媒体を被収納物１として収納部に収納するプレーヤ等の装置に適用される収納装置であり、図１および図２を参照すると、記録再生メカニズム４が内蔵され、上部が解放された薄い略直方体状の箱型である装置本体２と、装置本体２の上部開口を開閉可能に取り付けられた蓋体３とで構成され、両側面には、蓋体３を開閉する開閉機構が設けられている。なお、図２には、右側面に設けられた開閉機構のみが示されており、左側面に設けられた開閉機構は、省略されている。
【００１５】
以下、収納装置の両側面に設けられている開閉機構について説明する。
蓋体３の内側の両側面には、側板３１がそれぞれ設けられており、側板３１には、ガイドアングル７が取り付けられている蓋体回動支点３２が設けられている前側足部と、嵌装突部３３が設けられている後側足部とが形成されている。なお、第１の実施の形態においては、被収納物１を収納する側を前側とする。
【００１６】
装置本体２の内側の両側面には、板状のガイドアングル７の一端が前後方向の略中央の下部に設けられた本体回動支点２１の周りに回動可能に取り付けられていると共に、ガイドアングル７の他端は、側板３１の蓋体回動支点３２の周りに回動可能に取り付けられている。なお、装置本体２の本体回動支点２１と、側板３１の蓋体回動支点３２とは、図３（ａ）に示す閉蓋状態において、側板３１の蓋体回動支点３２が装置本体２の本体回動支点２１よりも前側であって、且つ上側に配置されるようになっている。
【００１７】
また、装置本体２の内側の両側面には、本体回動支点２１よりも後側にガイド穴２２が形成されており、蓋体３の嵌装突部３３がガイド穴２２にスライド可能に嵌装されている。なお、ガイド穴２２は、前側よりも後側の方が上方に位置するように斜めに形成されていると共に、図３（ａ）に示す閉蓋状態において、蓋体３の嵌装突部３３は、ガイド穴２２の前側に位置するように構成され、閉蓋状態では、嵌装突部３３を軸にして蓋体３を開く方向に回動させようとしても、蓋体３の後側端部が装置本体２に当接して、閉蓋状態に保持されるようになっている。また、図１および図３に示す符号６は、被収納物１を収納するホルダであり、ホルダ６は、装置本体２の後端側に配置された回動支点６１の周りに回動可能に取り付けられていると共に、バネ８によって開く方向に付勢されているが、閉蓋状態では、蓋体３によって回動が規制されている。
【００１８】
蓋体３の開閉は、ガイドアングル７とガイド穴２２とにガイドされて行われる。図３（ａ）に示す閉蓋状態において、蓋体３の後側表面を指で矢印Ｃ方向、すなわち装置本体２に向けて押圧しながら、矢印Ｄ方向、すなわち後方向にスライドさせることにより、蓋体３の嵌装突部３３がガイド穴２２に沿って後方向に移動されると共に、ガイドアングル７が本体回動支点２１を軸として回動する。従って、蓋体３が後方向にずれながら、前面部において蓋体３が装置本体２から離れ、前面部に被収納物１を収納するための開口部が形成された図３（ｂ）に示す開蓋状態に移行する。開蓋状態では、蓋体３による規制が解除されるため、図３（ｂ）に示すようにホルダ６が開く方向に回動され、前面部において装置本体２と蓋体３との間に生じた開口部を介して被収納物１を矢印Ｂ方向に挿入することにより、被収納物１をホルダ６に収納させることができる。
【００１９】
以上説明したように、第１の実施の形態によれば、蓋体３を後方向にスライドさせることにより、ガイドアングル７およびガイド穴２２にガイドされて蓋体３が開くように構成することにより、装置本体２に対して蓋体３をロックする蓋体係止機構と、蓋体３のロックを解除するイジェクト機構とを備える必要がない蓋体３の開閉機構を実現することができ、コストを抑え、装置を小型化することができるという効果を奏する。
【００２０】
（第２の実施の形態）
図４は、本発明に係る収納装置の第２の実施の形態における開蓋状態の構成を示す外観図であり、図５は、本発明に係る収納装置の第２の実施の形態における閉蓋状態の構成を示す図であり、（ａ）は、平面図であり、（ｂ）は、側面図であり、（ｃ）は、正面図である。図６は、本発明に係る収納装置の第２の実施の形態における係止解除時の構成を示す図であり、（ａ）は、平面図であり、（ｂ）は、側面図であり、（ｃ）は、正面図である。図７は、本発明に係る収納装置の第２の実施の形態における開蓋状態の構成を示す図であり、（ａ）は、平面図であり、（ｂ）は、側面図であり、（ｃ）は、正面図である。
【００２１】
第２の実施の形態は、第１の実施の形態の構成に加えて、閉蓋状態において蓋体３をロックする蓋体係止機構と、当該蓋体係止機構による蓋体３のロックを解除するイジェクト機構とが追加されている。
【００２２】
蓋体３の前面内側の左右方向略中央には、係止片３４が形成されていると共に、係止片３４に対応する装置本体２の部位にはフック２３が左右方向にスライド可能に配置されており、係止片３４とフック２３とが蓋体係止機構として機能し、図５に示す閉蓋状態では、係止片３４がフック２３によって係止されて蓋体３がロックされる。
【００２３】
蓋体係止機構による蓋体３のロックを解除するイジェクト機構は、蓋体３表面に設けられた前後方向にスライド可能なイジェクトボタン９と、蓋体３裏面に設けられた前後方向にスライド可能なスライド板９１と、蓋体３裏面に設けられた回動板回動支点９２の回りに回動可能に取り付けられた回動板９４とで構成されている。
【００２４】
イジェクトボタン９とスライド板９１とは、蓋体３に形成されている開口を介して連結され、イジェクトボタン９のスライドに連動してスライド板９１もスライドされるように構成されており、イジェクトボタン９を前後方向にスライドさせることにより、イジェクトボタン９のスライドに連動してスライド板９１も前後方向にスライドする。また、イジェクトボタン９は、スライド範囲の最も手前側に位置するように、図示しないバネ等の付勢手段よって前側に付勢されている。
【００２５】
スライド板９１と回動板９４とは、スライド板９１に前後方向に対して斜めに形成されているガイド穴９３と、回動板９４の一端側に設けられ、スライド板９１のガイド穴９３にスライド可能に嵌装された嵌装突部９５とによって連結されており、スライド板９１が後方向にスライドされることにより、回動板９４が回動するように構成されている。
【００２６】
回動板９４の他端側には、フック２３と係合する係合部９６が形成されており、回動板９４の回動に伴い、係合部９６によってフック２３が押されてフック２３がスライドされるように構成されている。
【００２７】
図５に示す閉蓋状態において、イジェクトボタン９を矢印Ｅ方向、すなわち後方向に向けてスライドさせることにより、イジェクトボタン９のスライドに連動してスライド板９１も後方向にスライドされる。さらにスライド板９１のスライドに伴い、回動板９４が回動され、回動板９４の係合部９６によって、フック２３が図６に示す矢印Ｆ方向、すなわち係止片３４の係止を解除する方向にスライドされ、蓋体３のロックが解除される。
【００２８】
イジェクト機構によって蓋体係止機構による蓋体３のロックを解除した後は、第１の実施の形態と同様の動作で蓋体３を開くことができる。なお、イジェクトボタン９には、蓋体３の後側表面部分にイジェクトボタン９を指で操作する箇所である操作部９ａが形成されているため、イジェクトボタン９を後方向にスライドさせる動作と、蓋体３を開く動作とを同一箇所で操作することができ、イジェクトボタン９の操作と、蓋体３を開く動作とを一連の動作で行うことができるようになっている。
【００２９】
以上説明したように、第２の実施の形態によれば、蓋体３の表面に前後方向にスライド可能に設けられたイジェクトボタン９を後ろ方向にスライドさせることにより、蓋体係止機構による蓋体３のロックが解除されるように構成することにより、蓋体係止機構とイジェクト機構とを備えた場合でも、イジェクト機構を操作して蓋体係止機構による蓋体３のロックを解除する係止解除動作と、蓋体３を開く開蓋動作とを一連の動作で行うことができ、片手で蓋体３を開くことができ、被収納物１の収納に係る動作が簡略化されて操作性が向上するという効果を奏する。
【００３０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３１】
【図１】本発明に係る収納装置の第１の実施の形態における開蓋状態の構成を示す外観図である。
【図２】本発明に係る収納装置の第１の実施の形態における閉蓋状態の構成を示す図であり、（ａ）は、平面図であり、（ｂ）は、側面図である。
【図３】本発明に係る収納装置の第１の実施の形態における蓋体の開閉動作を説明するための側面図であり、（ａ）は、閉蓋状態を示す側面図であり、（ｂ）は、開蓋状態を示す側面図である。
【図４】本発明に係る収納装置の第２の実施の形態における開蓋状態の構成を示す外観図である。
【図５】本発明に係る収納装置の第２の実施の形態における閉蓋状態の構成を示す図であり、（ａ）は、平面図であり、（ｂ）は、側面図であり、（ｃ）は、正面図である。
【図６】本発明に係る収納装置の第２の実施の形態における係止解除時の構成を示す図であり、（ａ）は、平面図であり、（ｂ）は、側面図であり、（ｃ）は、正面図である。
【図７】本発明に係る収納装置の第２の実施の形態における開蓋状態の構成を示す図であり、（ａ）は、平面図であり、（ｂ）は、側面図であり、（ｃ）は、正面図である。
【図８】従来の収納装置の開蓋状態における構成を示す外観図である。
【図９】従来の収納装置における閉蓋状態の構成を示す図であり、（ａ）は、平面図であり、（ｂ）は、側面図である。
【図１０】従来の収納装置における蓋体の開閉動作を説明するための側面図であり、（ａ）は、閉蓋状態を示す側面図であり、（ｂ）は、開蓋状態を示す側面図である。
【符号の説明】
【００３２】
１  被収納物
２  装置本体
３  蓋体
４  記録再生メカニズム
６  ホルダ
７  ガイドアングル
８  バネ
９  イジェクトボタン
９ａ  操作部
２１  本体回動支点
２２  ガイド穴
２３  フック
３１  側板
３２  蓋体回動支点
３３  嵌装突部
３４  係止片
６１  回動支点
９１  スライド板
９２  回動板回動支点
９３  ガイド穴
９４  回動板
９５  嵌装突部
９６  係合部
【図１】
2006127688.tif 000003
【図２】
2006127688.tif 000004
【図３】
2006127688.tif 000005
【図４】
2006127688.tif 000006
【図５】
2006127688.tif 000007
【図６】
2006127688.tif 000008
【図７】
2006127688.tif 000009
【図８】
2006127688.tif 000010
【図９】
2006127688.tif 000011
【図１０】
2006127688.tif 000012